(57)【要約】【課題】  カメラ付き携帯通信端末のメール機能を利用して、撮影した画像が受信側へ送られたとき、画像がどの方向に向かって撮影されたものか分からなかった。【解決手段】  操作部１と、表示部２と、記憶部３と、カメラ４と、方向を検知するコンパス部５と、データを送受信する無線部６と、上記各要素を制御する制御部７とを備え、上記カメラ４で撮影した画像データに上記コンパス部５で検知した方向情報をプロパティ情報として付加して上記記憶部３に記憶し、記憶したデータを上記無線部６を通して送信できるようにした。【選択図】図１
2006033712.tif 000002
【特許請求の範囲】
【請求項１】
被写体を撮影する撮像部と、方位を検出する方位検出器と、上記撮像部で画像が撮影されたときに、上記方位検出器の検出した方位情報を、撮影された上記画像とともに画像ファイルとして記憶する記憶部とを備えたことを特徴とする電子機器。
【請求項２】
上記記憶部に記憶した方位情報が付加された画像ファイルを送信する送信部または上記記憶部に記憶した上記方位情報が付加された画像ファイルに格納された画像および方位情報を表示する表示部を備えたことを特徴とする請求項１に記載の電子機器。
【請求項３】
方位情報が付加された画像ファイルを記憶した記憶部と、この記憶部に記憶した上記方位情報が付加された画像ファイルに格納された画像および方位情報を表示する表示部とを備えたことを特徴とする電子機器。
【請求項４】
上記方位情報が付加された画像ファイルを受信する受信部を備え、上記記憶部は、上記受信部が受信した上記方位情報が付加された画像ファイルを記憶することを特徴とする請求項３に記載の電子機器。
【発明の詳細な説明】
【技術分野】
【０００１】
この発明は、撮像部と、この撮像部で撮影した画像を画像ファイルとして記憶する記憶部とを備えた電子機器に関するものである。
【背景技術】
【０００２】
特許文献１に測位機能を有する携帯無線端末装置が開示されている。これは、「測位機能を持つ、携帯電話機１００のような携帯無線端末装置において、位置情報を第三者とやり取りする場合に、あらかじめ位置情報を付加する相手か否かをメモリ１０７などで記憶しておき、接続する際に、電話機における番号通知機能などのような接続相手を識別する手段を用いて、接続相手が位置情報を送る相手か否かを判断する。また、位置情報を付加する場合には、使用者が、現在位置情報を付加するか、擬似位置情報を付加するか選択できるようにする。このようにすることで、使用者のセキュリティーを確保しつつ、第三者に位置情報を渡すことが可能となる。」ものである。
【０００３】
また、特許文献２に開示された携帯通信装置は、「自局の現在位置を計測するＧＰＳモジュール１０８と、自局の方位を検出する電子コンパスモジュール１１０と、各種データを表示する表示部１１８と、自局の現在位置情報に基づいて少なくとも自局の現在位置を含む地図情報をナビゲータサーバからダウンロードし、前記地図情報に基づいて、表示部１１８に地図を表示し、該表示した地図上に自局の現在位置を示すアイコン図形を表示すると共に、自局の現在の方位を、前記表示された地図の北方位を基準として表示するように制御するＣＰＵ１００とを有する。」ものである。
【０００４】
ところで、上記の文献に開示された装置は、いずれも撮像機能を利用するものではない。一方、従来の携帯電話機では、携帯電話機の使用場所情報は入手可能であるが、撮影した画像の方位情報を入手する方法はなかった。
【０００５】
【特許文献１】特開２００２−３４５０１２
【特許文献２】特開２００２−３４０６０５
【発明の開示】
【発明が解決しようとする課題】
【０００６】
上述のように、従来の携帯電話機では、撮影した画像を見ても、撮影した方角を知る手段がなかった。また、送信者から受信者へ、画像を撮影した場所を通知することは可能であるが、撮影した画像の方位情報を自動で送る方法がなかった。そのため、送信者が受信者へ画像の方位情報を伝えるためには、送信者がコンパスなどを使い方位を調べてメールに文章で書く必要があった。この発明はこのような点に鑑みてなされたもので、撮像部で撮影した画像に方位情報を付加して画像ファイルに記憶し、必要に応じて方位情報を付加した画像を送信あるいは表示することができるような電子機器を得るものである。
【課題を解決するための手段】
【０００７】
この発明に係る電子機器は、被写体を撮影する撮像部と、方位を検出する方位検出器と、上記撮像部で画像が撮影されたときに、上記方位検出器の検出した方位情報を、撮影された上記画像とともに画像ファイルとして記憶する記憶部とを備えたものである。
【発明の効果】
【０００８】
この発明によれば、撮影した画像に方位情報を付加して記憶させることにより、ユーザは画像撮影時の方位を知ることができるため、撮影した画像を各種の用途に利用できる。
【発明を実施するための最良の形態】
【０００９】
以下、電子機器として、カメラ付き携帯電話機を例にとり説明する。図１は本発明に係るカメラ付き携帯電話機の構成を示すブロック図であり、基地局１０を介して送信者側移動機２０と受信者側移動機２０ａとが結ばれている状態を示している。送信者側移動機２０と受信者側移動機２０ａは同一の構成からなるものであるから、受信者側移動機２０ａの各要素には、送信者側移動機２０の各要素の符号の末尾にａを付けて示す。
【００１０】
送信者側移動機２０は、操作者が機能の選択および各種の操作を行う操作部１と、着信・アラームなどの通知や操作者が必要とする情報やカメラによる撮影画像を表示する表示部２と、撮影した画像やメールなどを保存する記憶部３と、画像を取り込むための撮像部としてのカメラ４と、方位情報を取得する方位検出器、例えば電子コンパス部５と、上記基地局１０を介して無線通信を行う無線部６と、上記の各要素１〜６を制御する制御部７とから構成されている。受信者側移動機２０ａの構成は送信者側移動機２０と同様である。
【００１１】
次に、本発明の携帯電話機を用いて画像付きメールを送信する動作について説明する。まず、送信者側移動機２０において、送信者は操作部１を操作してカメラ４で画像を撮影し、その画像を取り込んで記憶部３に記憶するが、このとき、次の二つの情報をプロパティ情報として付加して記憶させる。その一つは、カメラ４による撮影時のカメラの方位情報であり、これは電子コンパス５からの情報を利用する。いま一つは、カメラ撮影地点の場所情報であり、これはＧＰＳ信号を利用するか基地局１０から得られる情報を利用する。上記方位情報および場所情報は画像ファイルの中のヘッダ部分に入れて画像ファイルの一部とする。図２に画像ファイルのイメージを示す。画像ファイルは、撮影日時やコメント情報などが入っているヘッダ部Ｈと画像情報が入っているデータ部Ｄに分けることができるが、そのヘッダ部Ｈの中に方位情報のデータおよび場所情報のデータが入っている。
【００１２】
送信者は表示部２の表示に従って操作部１から制御部７に指示を出す。制御部７は操作部１からの指示に従ってメールを作成し、記憶部３に記憶された画像データを記憶部３から読み出し、上記メールに添付して画像付きメールとし、無線部６を使って基地局１０へ送信する。
【００１３】
受信者側移動機２０ａにおいて、受信者は無線部６ａを使い、基地局１０から画像付きメールを受信し、記憶部３ａに保存する。記憶部３ａに保存された画像付きメールは、操作部１ａからの操作により、制御部７ａを通じて記憶部３ａから読み出され、表示部２ａに場所情報と方位情報付きで表示される。
【００１４】
図３に受信者側移動機２０ａの表示部２ａに表示される方位情報および場所情報付き画像メールの表示例を示す。図３において、表示部２ａには、画像部分Ａと方位情報Ｂ（例えば方位：北北西）と場所情報Ｃ（例えば場所：尼崎市猪名寺・・・）とが表示される。画像部分Ａに表示される画像が動画の場合には、方位情報Ｂの表示も動画の再生に合わせてリアルタイムに変わる。
【００１５】
次に、図４のフローチャートに基づき、送信者側移動機２０と受信側移動機２０ａの動作を説明する。まず、方位情報付き画像（静止画/動画）メール送信の動作を図４に示す。送信者はメール作成(ステップＳ３０１)時において、新たにカメラ４により画像を撮影するかどうかを選ぶ(ステップＳ３０２)。撮影しない場合は、保存している画像を選ぶ(ステップＳ３０３)。新たに撮影する場合は、カメラ４を立ち上げて静止画/動画の撮影を行い、電子コンパス５が示す撮影時の方位情報および例えば基地局１０から得られた場所情報と共に記憶部３に記憶する(ステップＳ３０４)。その後、記憶部３に保存された場所情報および方位情報付きの画像を添付して画像付きメールを作成し、無線部６よりメールを送信する(ステップＳ３０５)。
【００１６】
一方、方位情報付き画像（静止画/動画）メール受信の動作を図５に示す。移動機２０ａが画像メールを受信して記憶部３ａに保存(ステップＳ４０１)する。受信者がメール閲覧操作を行い記憶部３ａよりメールを読み出す(ステップＳ４０２)。読み出したメールの添付画像（静止画/動画）ファイルに方位情報が付いているかを判定(ステップＳ４０３)し、付いていない場合には方位情報無しの静止画/動画表示(ステップＳ４０４)を、付いている場合には方位情報付きの静止画/動画表示(ステップＳ４０５)を表示部２ａで行う。
【００１７】
このように移動機が方位情報付きの画像を送受信して、閲覧時に方位情報を表示することにより、ユーザは画像撮影時の方位を知ることができ、カメラ付き携帯端末の利便性が向上する。
【産業上の利用可能性】
【００１８】
この発明に係る電子機器は、メールの送受信だけに利用するのではなく、サーバ等から方位情報を付加した画像をダウンロードして記憶、表示させることもできる。さらに、カメラ付き携帯電話機で撮影した画像を外部メモリに保存し、パソコンや他のカメラ付き携帯電話機で表示させたり、デジカメで撮影した画像を外部メモリに保存し、パソコンや他のカメラ付き携帯電話機で表示させたりするものにも適用できる。
【図面の簡単な説明】
【００１９】
【図１】この発明の実施の形態１に係るカメラ付き携帯通信端末の構成を示すブロック図である。
【図２】実施の形態１における画像ファイルのイメージを示す図である。
【図３】実施の形態１による画像メールの表示例である。
【図４】実施の形態１による画像メール送信の動作を示すフローチャートである。
【図５】実施の形態１による画像メールの閲覧動作を示すフローチャートである。
【符号の説明】
【００２０】
１、１ａ  操作部、            ２、２ａ  表示部、
３、３ａ  記憶部、            ４、４ａ  カメラ、
５、５ａ  電子コンパス、      ６、６ａ  無線部、
７、７ａ  制御部、                １０  基地局、
２０  送信者側移動機、      ２０ａ  受信者側移動機。
【図１】
2006033712.tif 000003
【図２】
2006033712.tif 000004
【図３】
2006033712.tif 000005
【図４】
2006033712.tif 000006
【図５】
2006033712.tif 000007